【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
硬貨の入出金処理を行う硬貨入出金装置であって、
筐体と、
前記筐体の内部に設けられ、硬貨を金種別に収納するとともに収納された硬貨を金種別に繰り出す硬貨収納繰出部と、
前記筐体の内部において略水平方向に移動自在に設けられ、前記硬貨収納繰出部から繰り出された硬貨を受け入れ、底部に開口が形成された枠体と、
前記枠体よりも下方において略水平方向に移動自在に設けられ、前記枠体の底部に形成された開口を塞ぐための底板と、
前記枠体を略水平方向に移動させる枠体駆動部と、
前記底板を略水平方向に移動させる底板駆動部と、
前記枠体および前記底板よりも下方に設けられ、硬貨を収容するとともに前記筐体の外部から取り出し可能な取出箱と、
前記枠体および前記底板よりも下方に設けられ、硬貨の回収を行うための回収部と、
前記枠体駆動部および前記底板駆動部の制御を行う制御部であって、（ａ）硬貨の出金時には、前記枠体駆動部および前記底板駆動部により前記枠体および前記底板の位置を調整し、前記硬貨収納繰出部から繰り出された硬貨を前記取出箱へ送るようにし、（ｂ）硬貨の回収時には、前記枠体駆動部および前記底板駆動部により前記枠体および前記底板の位置を調整し、前記硬貨収納繰出部から繰り出された硬貨を前記枠体および前記底板により一時的に保留させ、その後前記回収部に送るような制御を行う制御部と、
を備えたことを特徴とする硬貨入出金装置。
【請求項２】
前記取出箱の施錠を行うための施錠部を更に備え、
前記制御部は、硬貨の出金時において、前記硬貨収納繰出部から繰り出された硬貨が前記施錠部により施錠された前記取出箱に送られた後、出金硬貨の繰り出しが正常に行われたときには前記施錠部による前記取出箱の施錠を解除し、出金硬貨の繰り出しが正常に行われなかったときには所定のオペレーションを行った後に前記施錠部による前記取出箱の施錠を解除するような制御を行うことを特徴とする請求項１記載の硬貨入出金装置。
【請求項３】
前記制御部は、硬貨の回収時において、前記硬貨収納繰出部から繰り出された硬貨が前記枠体および前記底板により一時的に保留された後、回収硬貨の繰り出しが正常に行われたときには前記枠体駆動部により前記枠体を移動させることによって一時的に保留された硬貨を前記回収部に送り、回収硬貨の繰り出しが正常に行われなかったときには前記底板駆動部により前記底板を移動させることによって一時的に保留された硬貨を前記取出箱へ送るような制御を行うことを特徴とする請求項１または２記載の硬貨入出金装置。
【請求項４】
前記制御部は、硬貨の出金時において、前記枠体駆動部により前記枠体を前記取出箱の上方の位置に移動させるとともに前記底板駆動部により前記底板を前記取出箱の上方から外れるような位置に移動させることにより、前記硬貨収納繰出部から繰り出された硬貨を、前記枠体を通過させて、前記取出箱へ送るような制御を行うことを特徴とする請求項１乃至３のいずれか一項に記載の硬貨入出金装置。
【請求項５】
前記枠体駆動部は、前記取出箱の上方における第１の位置と、前記回収部の上方における第２の位置との間で前記枠体を略水平方向に移動させるようになっており、
前記底板駆動部は、前記取出箱の上方における第１の位置と、前記回収部の上方における第２の位置との間で前記底板を略水平方向に移動させるようになっており、
前記枠体および前記底板がそれぞれ第１の位置にあるときに前記底板により前記枠体の底部に形成された開口が塞がれるようになっていることを特徴とする請求項１乃至４のいずれか一項に記載の硬貨入出金装置。
【請求項６】
前記制御部は、硬貨の出金時において、前記枠体駆動部により前記枠体を前記第１の位置に位置させるとともに前記底板駆動部により前記底板を前記第２の位置に位置させることにより、前記硬貨収納繰出部から繰り出された硬貨を前記取出箱へ送るようにし、硬貨の回収時において、前記枠体駆動部により前記枠体を前記第１の位置に位置させるとともに前記底板駆動部により前記底板を前記第１の位置に位置させることにより、前記硬貨収納繰出部から繰り出された硬貨を前記枠体および前記底板により一時的に保留させ、その後前記枠体駆動部により前記枠体を前記第１の位置から前記第２の位置に移動させることにより一時的に保留された硬貨を前記回収部に送るような制御を行うことを特徴とする請求項５記載の硬貨入出金装置。
【請求項７】
前記制御部における硬貨の出金時に関する前記所定のオペレーションは、前記制御部における硬貨の処理モードを出金モードからエラー現金戻しモードに変更することであることを特徴とする請求項２記載の硬貨入出金装置。
【請求項８】
前記制御部における硬貨の出金時に関する前記所定のオペレーションは、所定の権限者によるモード変更であることを特徴とする請求項２記載の硬貨入出金装置。
【請求項９】
硬貨の処理状況を表示するための表示部を更に備え、
前記制御部における硬貨の出金時に関する前記所定のオペレーションは、前記表示部に対してエラー表示を行わせることであることを特徴とする請求項２記載の硬貨入出金装置。
【請求項１０】
前記硬貨収納繰出部には、当該硬貨収納繰出部から繰り出される硬貨の識別を行う識別部が設けられており、
前記制御部において、前記出金硬貨の繰り出しが正常に行われたか否かは、前記識別部による硬貨の識別結果に基づいて判断されるようになっていることを特徴とする請求項２記載の硬貨入出金装置。
【請求項１１】
前記硬貨収納繰出部には、当該硬貨収納繰出部から繰り出される硬貨の識別を行う識別部が設けられており、
前記制御部において、前記回収硬貨の繰り出しが正常に行われたか否かは、前記識別部による硬貨の識別結果に基づいて判断されるようになっていることを特徴とする請求項３記載の硬貨入出金装置。
【請求項１２】
硬貨の入出金処理を行う硬貨入出金装置であって、
筐体と、
前記筐体の内部に設けられ、硬貨を金種別に収納するとともに収納された硬貨を金種別に繰り出す硬貨収納繰出部と、
前記筐体の内部に設けられ、前記硬貨収納繰出部から繰り出された硬貨を収容するとともに前記筐体の外部から取り出し可能な取出箱と、
前記取出箱の施錠を行うための施錠部と、
前記施錠部の制御を行う制御部であって、硬貨の出金時において、前記硬貨収納繰出部から繰り出された硬貨を前記施錠部により施錠された前記取出箱へ送るようにし、硬貨の出金が正常に行われたときには前記施錠部による前記取出箱の施錠を解除し、硬貨の出金が正常に行われなかったときには所定のオペレーションを行った後に前記施錠部による前記取出箱の施錠を解除するような制御を行う制御部と、
を備えたことを特徴とする硬貨入出金装置。
【手続補正２】
【補正対象書類名】明細書
【補正対象項目名】０００８
【補正方法】変更
【補正の内容】
【０００８】
本発明の硬貨入出金装置は、硬貨の入出金処理を行う硬貨入出金装置であって、筐体と、前記筐体の内部に設けられ、硬貨を金種別に収納するとともに収納された硬貨を金種別に繰り出す硬貨収納繰出部と、前記筐体の内部において略水平方向に移動自在に設けられ、前記硬貨収納繰出部から繰り出された硬貨を受け入れ、底部に開口が形成された枠体と、前記枠体よりも下方において略水平方向に移動自在に設けられ、前記枠体の底部に形成された開口を塞ぐための底板と、前記枠体を略水平方向に移動させる枠体駆動部と、前記底板を略水平方向に移動させる底板駆動部と、前記枠体および前記底板よりも下方に設けられ、硬貨を収容するとともに前記筐体の外部から取り出し可能な取出箱と、前記枠体および前記底板よりも下方に設けられ、硬貨の回収を行うための回収部と、前記枠体駆動部および前記底板駆動部の制御を行う制御部であって、（ａ）硬貨の出金時には、前記枠体駆動部および前記底板駆動部により前記枠体および前記底板の位置を調整し、前記硬貨収納繰出部から繰り出された硬貨を前記取出箱へ送るようにし、（ｂ）硬貨の回収時には、前記枠体駆動部および前記底板駆動部により前記枠体および前記底板の位置を調整し、前記硬貨収納繰出部から繰り出された硬貨を前記枠体および前記底板により一時的に保留させ、その後前記回収部に送るような制御を行う制御部と、を備えたことを特徴とする。なお、「硬貨収納繰出部から繰り出された硬貨を取出箱へ送る」とは、硬貨収納繰出部から繰り出された硬貨が一時保留部等に一時的に保留されることなくそのまま取出箱に送られることをいう。
【手続補正３】
【補正対象書類名】明細書
【補正対象項目名】０００９
【補正方法】変更
【補正の内容】
【０００９】
このような硬貨入出金装置によれば、硬貨の出金時には、枠体および底板の位置を調整することにより硬貨収納繰出部から繰り出された硬貨を取出箱へ送るようにし、硬貨の回収時には、枠体および底板の位置をそれぞれ調整することにより硬貨収納繰出部から繰り出された硬貨を枠体および底板により一時的に保留させ、その後回収部に送るようにしている。このため、硬貨の出金時には、取出箱を一時保留部として機能させることができ、また、硬貨の回収時には、枠体および底板を一時保留部として機能させることができる。このことにより、一時保留部等を別途設ける必要がなくなるので、一時保留部等の設置スペースを省略することができ、硬貨入出金装置の省スペース化を図ることができる。
【手続補正４】
【補正対象書類名】明細書
【補正対象項目名】００１１
【補正方法】変更
【補正の内容】
【００１１】
本発明の硬貨入出金装置においては、前記取出箱の施錠を行うための施錠部を更に備え、前記制御部は、硬貨の出金時において、前記硬貨収納繰出部から繰り出された硬貨が前記施錠部により施錠された前記取出箱に送られた後、出金硬貨の繰り出しが正常に行われたときには前記施錠部による前記取出箱の施錠を解除し、出金硬貨の繰り出しが正常に行われなかったときには所定のオペレーションを行った後に前記施錠部による前記取出箱の施錠を解除するような制御を行うことが好ましい。
【手続補正５】
【補正対象書類名】明細書
【補正対象項目名】００１２
【補正方法】変更
【補正の内容】
【００１２】
また、前記制御部は、硬貨の回収時において、前記硬貨収納繰出部から繰り出された硬貨が前記枠体および前記底板により一時的に保留された後、回収硬貨の繰り出しが正常に行われたときには前記枠体駆動部により前記枠体を移動させることによって一時的に保留された硬貨を前記回収部に送り、回収硬貨の繰り出しが正常に行われなかったときには前記底板駆動部により前記底板を移動させることによって一時的に保留された硬貨を前記取出箱へ送るような制御を行うことが好ましい。
【手続補正６】
【補正対象書類名】明細書
【補正対象項目名】００１３
【補正方法】変更
【補正の内容】
【００１３】
本発明の硬貨入出金装置においては、前記制御部は、硬貨の出金時において、前記枠体駆動部により前記枠体を前記取出箱の上方の位置に移動させるとともに前記底板駆動部により前記底板を前記取出箱の上方から外れるような位置に移動させることにより、前記硬貨収納繰出部から繰り出された硬貨を、前記枠体を通過させて、前記取出箱へ送るような制御を行うことが好ましい。
【手続補正７】
【補正対象書類名】明細書
【補正対象項目名】００１４
【補正方法】変更
【補正の内容】
【００１４】
本発明の硬貨入出金装置においては、前記枠体駆動部は、前記取出箱の上方における第１の位置と、前記回収部の上方における第２の位置との間で前記枠体を略水平方向に移動させるようになっており、前記底板駆動部は、前記取出箱の上方における第１の位置と、前記回収部の上方における第２の位置との間で前記底板を略水平方向に移動させるようになっており、前記枠体および前記底板がそれぞれ第１の位置にあるときに前記底板により前記枠体の底部に形成された開口が塞がれるようになっていることが好ましい。
【手続補正８】
【補正対象書類名】明細書
【補正対象項目名】００１５
【補正方法】変更
【補正の内容】
【００１５】
この際に、前記制御部は、硬貨の出金時において、前記枠体駆動部により前記枠体を前記第１の位置に位置させるとともに前記底板駆動部により前記底板を前記第２の位置に位置させることにより、前記硬貨収納繰出部から繰り出された硬貨を前記取出箱へ送るようにし、硬貨の回収時において、前記枠体駆動部により前記枠体を前記第１の位置に位置させるとともに前記底板駆動部により前記底板を前記第１の位置に位置させることにより、前記硬貨収納繰出部から繰り出された硬貨を前記枠体および前記底板により一時的に保留させ、その後前記枠体駆動部により前記枠体を前記第１の位置から前記第２の位置に移動させることにより一時的に保留された硬貨を前記回収部に送るような制御を行うことが好ましい。
【手続補正９】
【補正対象書類名】明細書
【補正対象項目名】００１６
【補正方法】変更
【補正の内容】
【００１６】
本発明の硬貨入出金装置においては、前記制御部における硬貨の出金時に関する前記所定のオペレーションは、前記制御部における硬貨の処理モードを出金モードからエラー現金戻しモードに変更することであることが好ましい。また、前記制御部における硬貨の出金時に関する前記所定のオペレーションは、所定の権限者によるモード変更であってもよい。また、本発明の硬貨入出金装置が、硬貨の処理状況を表示するための表示部を更に備え、前記制御部における硬貨の出金時に関する前記所定のオペレーションは、前記表示部に対してエラー表示を行わせることであってもよい。
【手続補正１０】
【補正対象書類名】明細書
【補正対象項目名】００１７
【補正方法】変更
【補正の内容】
【００１７】
上述のような硬貨入出金装置においては、前記硬貨収納繰出部には、当該硬貨収納繰出部から繰り出される硬貨の識別を行う識別部が設けられており、前記制御部において、前記出金硬貨や前記回収硬貨の繰り出しが正常に行われたか否かは、前記識別部による硬貨の識別結果に基づいて判断されるようになっていることが好ましい。
【手続補正１１】
【補正対象書類名】明細書
【補正対象項目名】００１８
【補正方法】変更
【補正の内容】
【００１８】
本発明の硬貨入出金装置は、硬貨の入出金処理を行う硬貨入出金装置であって、筐体と、前記筐体の内部に設けられ、硬貨を金種別に収納するとともに収納された硬貨を金種別に繰り出す硬貨収納繰出部と、前記筐体の内部に設けられ、前記硬貨収納繰出部から繰り出された硬貨を収容するとともに前記筐体の外部から取り出し可能な取出箱と、前記取出箱の施錠を行うための施錠部と、前記施錠部の制御を行う制御部であって、硬貨の出金時において、前記硬貨収納繰出部から繰り出された硬貨を前記施錠部により施錠された前記取出箱へ送るようにし、硬貨の出金が正常に行われたときには前記施錠部による前記取出箱の施錠を解除し、硬貨の出金が正常に行われなかったときには所定のオペレーションを行った後に前記施錠部による前記取出箱の施錠を解除するような制御を行う制御部と、を備えたことを特徴とする。なお、「硬貨収納繰出部から繰り出された硬貨を取出箱へ送る」とは、硬貨収納繰出部から繰り出された硬貨が一時保留部等に一時的に保留されることなくそのまま取出箱に送られることをいう。
【手続補正１２】
【補正対象書類名】明細書
【補正対象項目名】００１９
【補正方法】変更
【補正の内容】
【００１９】
このような硬貨入出金装置によれば、取出箱の施錠を行うための施錠部を設け、硬貨の出金時には、硬貨収納繰出部から繰り出された硬貨を施錠部により施錠された取出箱へ送るようにし、硬貨の出金が正常に行われたときには施錠部による取出箱の施錠を解除し、硬貨の出金が正常に行われなかったときには所定のオペレーションを行った後に施錠部による取出箱の施錠を解除するようになっている。このため、硬貨の出金時には、施錠部により取出箱の施錠を行うことによりこの取出箱を一時保留部として機能させることができる。このことにより、一時保留部等を別途設ける必要がなくなるので、一時保留部等の設置スペースを省略することができ、硬貨入出金装置の省スペース化を図ることができる。